(57)【特許請求の範囲】
【請求項１】
動作制御可能な玩具本体と、
前記玩具本体に制御信号を送信するリモコンと、
前記玩具本体の所定の動作に関する制御データを記憶するとともに前記玩具本体の所定の動作に対応するマークを有するカードと、を備え、
前記リモコンは、
前記カードから前記制御データを読み取るカード読取手段と、
前記カード読取手段で読み取られた制御データに対応する制御信号を前記玩具本体に送信する送信手段と、を有し、
前記玩具本体は、
前記送信手段から前記制御信号を受信する受信部と、
前記受信部で受信された制御信号に対応する前記所定の動作を行う動作部と、を有するとともに、
遊技者の操作により前記カードの前記制御データが前記カード読取手段で読み取られたときに、当該制御データに応じた所定の動作を行うことを特徴とするラジオコントロール玩具。
【請求項２】
前記カードは、磁気ストライプ又はバーコードによって前記制御データを記憶していることを特徴とする請求項１に記載のラジオコントロール玩具。
【請求項３】
前記玩具本体は、走行輪を有する走行玩具であることを特徴とする請求項１又は２に記載のラジオコントロール玩具。
【請求項４】
前記動作部は、
前記制御信号に基づいて当該玩具本体を走行させる走行駆動装置と、
前記制御信号に基づいて光を発する発光部と、
前記制御信号に基づいて音を出す発音部と、の少なくとも１つを有することを特徴とする請求項１〜３のいずれか一項に記載のラジオコントロール玩具。
【発明の詳細な説明】
【技術分野】
【０００１】
本発明は、ラジオコントロール玩具に関する。
【背景技術】
【０００２】
従来、ラジオコントロール玩具における送信機での操作は、多数のボタンやスティック等を動かす複雑なものであった。
【０００３】
ところで、ラジオコントロール玩具における初期設定作業を簡略化するために、設定データが記憶されたカードを読み込めるようにしている送信機が提案されている。（例えば、特許文献１参照）
【特許文献１】特許第２６５９３９２号公報
【発明の開示】
【発明が解決しようとする課題】
【０００４】
しかしながら、特許文献１に記載の発明は、初期設定作業は簡略化されたものの、操作には依然として多数のボタンやスティック等を動かす必要があり、特に小児向けのラジオコントロール玩具へ適用するには適していなかった。
【０００５】
本発明は、上記事情を鑑みてなされたもので、簡単に操作することが可能なラジオコントロール玩具の提供を課題とする。
【課題を解決するための手段】
【０００６】
前記の課題を解決するために、請求項１に記載の発明は、
動作制御可能な玩具本体と、
前記玩具本体に制御信号を送信するリモコンと、
前記玩具本体の所定の動作に関する制御データを記憶するとともに前記玩具本体の所定の動作に対応するマークを有するカードと、を備え、
前記リモコンは、
前記カードから前記制御データを読み取るカード読取手段と、
前記カード読取手段で読み取られた制御データに対応する制御信号を前記玩具本体に送信する送信手段と、を有し、
前記玩具本体は、
前記送信手段から前記制御信号を受信する受信部と、
前記受信部で受信された制御信号に対応する前記所定の動作を行う動作部と、を有するとともに、
遊技者の操作により前記カードの前記制御データが前記カード読取手段で読み取られたときに、当該制御データに応じた所定の動作を行うことを特徴とする。
【０００７】
請求項２に記載の発明は、請求項１に記載のラジオコントロール玩具であって、
前記カードは、磁気ストライプ又はバーコードによって前記制御データを記憶していることを特徴とする。
【０００８】
請求項３に記載の発明は、請求項１又は２に記載のラジオコントロール玩具であって、
前記玩具本体は、走行輪を有する走行玩具であることを特徴とする。
【０００９】
請求項４に記載の発明は、請求項１〜３のいずれか一項に記載のラジオコントロール玩具であって、
前記動作部は、
前記制御信号に基づいて当該玩具本体を走行させる走行駆動装置と、
前記制御信号に基づいて光を発する発光部と、
前記制御信号に基づいて音を出す発音部と、の少なくとも１つを有することを特徴とする。
【発明の効果】
【００１０】
請求項１に記載の発明によれば、動作制御可能な玩具本体と、前記玩具本体に制御信号を送信するリモコンと、前記玩具本体の所定の動作に関する制御データを記憶したカードと、を備え、前記リモコンは、前記カードから前記制御データを読み取るカード読取手段と、前記カード読取手段で読み取られた制御データに対応する制御信号を前記玩具本体に送信する送信手段と、を有し、前記玩具本体は、前記送信手段から前記制御信号を受信する受信部と、前記受信部で受信された制御信号に対応する前記所定の動作を行う動作部と、を有しているので、カードに記憶された制御データをリモコンに読み込ませるだけで、玩具本体が所定の動作を行う。したがって、複雑なリモコン操作の必要なく、簡単に操作することができる。
【発明を実施するための最良の形態】
【００１１】
以下、本発明の実施の形態について、図を参照して説明する。
本実施の形態に係るラジオコントロール玩具１は、図１，３，４に示すような、玩具本体２と、カード３と、リモコン４とから構成されている。
【００１２】
玩具本体２は、図１の外観図に示すように、その外郭がシャーシ２１とこれを覆うボディ２２とを含んで構成されている。これらシャーシ２１とボディ２２とは、プラスチックで形成され、特に限定はされないが、それぞれの対応する部分に設けられた各係合部（図示せず）が弾性的に係合することによって、互いに固定されるようになっている。また、玩具本体２は、前輪車軸を介してシャーシ２１に軸支される前輪２８と、後輪車軸を介して後述するモータ２５に駆動される後輪２９とを備えている。
【００１３】
また、玩具本体２は、図２に示すように、シャーシ２１上に収納スペースを有している。ここで、図２はボディ２２を取り外した状態での玩具本体２の上面図である。この収納スペースには、リモコン４からの制御信号を受信する受信部２３と、受信した制御信号に応じて各部を制御する受信制御部２４と、この受信制御部２４からの信号によって後輪２９，２９を駆動するモータ２５と、同じく受信制御部２４からの信号によってクラクション音を発するスピーカー２６（図６参照）とを備えている。また、シャーシ２１の前部には受信制御部２４からの信号によって光を発するライト２７，２７が設けられ、シャーシ２１の下部にはモータ２５等の電源としての電池（図示せず）が設けられている。これらのうち、受信制御部２４、モータ２５、スピーカー２６、及びライト２７，２７が、本発明における玩具本体２の動作部である。なお、スピーカー２６が発する音はクラクション音に限定されず、例えばサイレン音などでもよい。
【００１４】
カード３は、図３の平面図に示すように、その表面に磁気ストライプ３１が形成されている。この磁気ストライプ３１には、玩具本体２に走行、発光、及び発音のいずれかの動作をさせるための制御データが記憶されている。また、カード３の表面には、特に限定はされないが、これらの動作に対応するマーク（図示せず）が記載されており、記憶された制御データの種類が外観から識別できるようになっている。
【００１５】
なお、カード３は、記憶媒体として機能すればよく、例えば、磁気ストライプ３１に替えてバーコードを設けてもよい。
【００１６】
リモコン４は、図４の斜視図に示すように、コンピュータを模した形状をしており、カード３から制御データを読み取るカード読取手段としてのカードリーダー４１と、図示しない電源ボタンとを外部に備えている。カードリーダー４１は、カード３を挿入するスリット部と、当該スリット部にカードを挿入すると磁気ストライプ３１に当接する磁気ヘッド（図示せず）とを有している。これら磁気ストライプ３１と磁気ヘッドとを当接させた状態でカード３をスリット部に沿って手動走査することにより、カード３から制御データを読み取ることができる。
【００１７】
また、リモコン４の内部には、図５のブロック図に示すように、カードリーダー４１からの制御データに応じた制御信号を後述の送信部４３へ伝える送信制御部４２と、制御信号を玩具本体２の受信部２３へ送信する送信部４３とが設けられている。この制御信号とは、制御データと同様に、玩具本体２に走行、発光、及び発音のいずれかの動作をさせるための信号である。これら送信制御部４２と送信部４３とが、本発明におけるリモコン４の送信手段である。
【００１８】
なお、前述のように、カード３の磁気ストライプ３１に替えてバーコードを設けた場合には、リモコン４のカードリーダー４１をバーコードが読み取り可能な構造に変更するのは勿論である。
【００１９】
続いて、ラジオコントロール玩具１の動作について、図５及び図６を参照して説明する。図５及び図６は、リモコン４及び玩具本体２の各制御系統を示すブロック図である。
【００２０】
まず、遊戯者は、カード３をカードリーダー４１のスリット部に挿入し、磁気ストライプ３１と磁気ヘッドとが当接した状態でカード３を手動走査する。すると、磁気ストライプ３１に記憶された制御データがカードリーダー４１に読み取られる。この制御データは、玩具本体２に走行、発光、及び発音のいずれかの動作をさせるためのデータである。
【００２１】
カードリーダー４１で読み取られた制御データは、送信制御部４２に伝えられる。この送信制御部４２は、制御データの内容に応じて、玩具本体２に走行、発光、及び発音のいずれかの動作をさせるための制御信号を送信部４３へ伝える。送信部４３は、この制御信号を玩具本体２の受信部２３へ送信する。
【００２２】
受信部２３で受信された制御信号は、受信制御部２４へ送られる。この受信制御部２４は、送られた制御信号に応じて、モータ２５、スピーカー２６、及びライト２７，２７のいずれかに対し次のような制御を行う。
【００２３】
制御信号が玩具本体２を走行させる信号であれば、受信制御部２４はモータ２５を制御して後輪２９，２９を駆動し、玩具本体２を所定の駆動力で前進又は後進させる。また、制御信号が玩具本体２を発光させる信号であれば、受信制御部２４はライト２７，２７を所定時間だけ発光させる。また、制御信号が玩具本体２を発音させる信号であれば、受信制御部２４はスピーカー２６から所定時間だけクラクション音を出させる。なお、玩具本体２の走行とは、前進又は後進に限定されるものではなく、例えば旋回などでもよい。
【００２４】
このように、遊戯者は、カード３をリモコン４のカードリーダー４１で手動走査するだけで、複雑な操作の必要なく、玩具本体２に対しカード３の制御データに応じた動作を簡単に行わせることができる。また、従来のような指先でのスティック操作といった静的な動作でなく、カード３を勢いよく走査させる動的な動作によって、新たな操縦感覚を楽しむことができる。
【００２５】
以上のように、ラジオコントロール玩具１によれば、玩具本体２の所定の動作に関する制御データを記憶したカード３と、カード３から制御データを読み取るカードリーダー４１、及びカードリーダー４１で読み取られた制御データに対応する制御信号を玩具本体２に送信する送信制御部４２や送信部４３を有するリモコン４と、送信部４３から制御信号を受信する受信部２３、及び受信部２３で受信された制御信号に対応する前記所定の動作を行う受信制御部２４やモータ２５、スピーカー２６、ライト２７，２７を有する玩具本体２と、を備えているので、カード３をリモコン４のカードリーダー４１で手動走査するだけで、玩具本体２が所定の動作を行う。したがって、複雑なリモコン操作の必要なく、簡単に操作することができる。
【００２６】
なお、玩具本体２は、本実施の形態のような走行玩具に限定されず、例えばロボット型の歩行玩具などでもよい。また、玩具本体２は、モータ２５、スピーカー２６、及びライト２７，２７の少なくとも１つを備えていればよい。但し、制御データ及び制御信号と対応する必要があるのは勿論である。その他の点においても、本発明は上記の実施の形態に限定されるものではなく、適宜変更可能である。
【図面の簡単な説明】
【００２７】
【図１】本実施の形態における玩具本体の外観図である。
【図２】図１の玩具本体のボディを取り外した状態の上面図である。
【図３】本実施の形態におけるカードの平面図である。
【図４】本実施の形態におけるリモコンの斜視図である。
【図５】リモコンの制御系統を示すブロック図である。
【図６】玩具本体の制御系統を示すブロック図である。
【符号の説明】
【００２８】
１    ラジオコントロール玩具
２    玩具本体
３    カード
４    リモコン
２３  受信部
２４  受信制御部
２５  モータ（走行駆動装置）
２６  スピーカー（発音部）
２７  ライト（発光部）
４１  カードリーダー（カード読取手段）
４２  送信制御部
４３  送信部
【図１】
0004795328.tif 000002
【図２】
0004795328.tif 000003
【図３】
0004795328.tif 000004
【図４】
0004795328.tif 000005
【図５】
0004795328.tif 000006
【図６】
0004795328.tif 000007